(57)【特許請求の範囲】
【請求項１】
上下位横桟端部に被嵌固定し，コ字状基板の前後幅方向中間位置に側面突出状に突設したＣ字状又は円筒状の支軸及び前後幅方向背面側に側面突出状に突設した支軸と同心円上の湾曲突条とを具備した隣接フェンスのアルミ押出材一体成型の各フェンス端枠と，背面基板から前方に突出した突出条に両側方張出しの中空部を形成するように配設した，正面側にＶ字状をなして上記フェンス端枠の前後幅方向前方側面を受止め可能な一対の傾斜受壁，背面側に突出条とともに両側湾曲の矢尻状をなして上記湾曲突条を摺接案内する湾曲突条と同径にして一対の湾曲ガイド壁，上記傾斜受壁と該湾曲ガイド壁間にして傾斜受壁両側端に位置し，上記フェンス端枠の支軸を落し込み状に被嵌保持して該支軸と連結するＣ字状の軸受を有する中空連結部を具備し，上記フェンス端枠より下方に延設したアルミ押出材一体成型の連結支柱とを備え，該連結支柱下方に嵌入配設した嵌入スペーサーに上記フェンス端枠の支軸下面を載置することによって上記落し込み状に被嵌連結する連結支柱軸受によるフェンス端枠支軸の定位置高さの位置決め保持を行なってなることを特徴とする角度自在のフェンス連結装置。
【請求項２】
上記アルミ押出材一体成型の連結支柱に代えて，背面基板一体成型のアルミ押出材と，突出条及び中空連結部を一体成型したアルミ押出材とを組合せ固定したアルミ押出材複合の連結支柱としてなることを特徴とする請求項１に記載の角度自在のフェンス連結装置。
【請求項３】
上記アルミ押出材一体成型の連結支柱に代えて，背面基板と突出条を一体成型したアルミ押出材と，中空連結部を一体成型したアルミ押出材とを組合せ固定したアルミ押出材複合の連結支柱としてなることを特徴とする請求項１に記載の角度自在のフェンス連結装置。
【請求項４】
上記隣接フェンスにおける上下の横桟を，金属薄板ロールフォーミングの成型外皮と該成型外皮内に充填した発泡樹脂とにより形成した中実横桟とし，各フェンス端枠の被嵌固定を，コ字状基板を上下位の中実横桟端部に被嵌しコ字状基板と該中実横桟を貫通するボルトナットによって行ってなることを特徴とする請求項１，２又は３に記載の角度自在のフェンス連結装置。
【発明の詳細な説明】
【０００１】
【産業上の利用分野】
本発明は，角度自在のフェンス連結装置に関する。
【０００２】
【従来の技術】
この種角度自在のフェンス連結装置は，例えば中空横桟に嵌入固定する嵌入部及び支柱に添設固定する添設部とを回動自在に軸着して形成した継手を用い，隣接フェンスの上下横桟端部にそれぞれ嵌入して固定することによって継手を装着した上，各フェンスの継手を連結支柱の対向する両側面に各複数のネジでネジ固定するものとし，各回動継手の回動によって所望の角度を得るものとされる。
【０００３】
【発明が解決しようとする課題】
しかし乍らこの場合，連結支柱１本当り合計４ケ所の継手を用いて，横桟及び連結支柱にネジ固定を行う必要があり，フェンス連結の作業が煩雑化する上，継手の嵌入部以外の部位が露出して外観を損い易く，更に継手は横桟に嵌入固定するため，横桟は常にこれを受入れるように中空の，例えばアルミ押出材による中空横桟であることを必要とし，従って，アルミ押出材を用いてもその肉厚を可及的に薄くしたり，或いは金属薄板をロールフォーミングして，合成樹脂の芯体として，例えば発泡樹脂を充填した中実横桟を用いたフェンスにあっては，継手の嵌入固定をなし得ないか，無理にこれを行うように合成樹脂の芯体を除去する端部加工を施せば，フェンスの横桟としての必要強度を確保し得なくなるといった問題点をも生じる。
【０００４】
本発明はかかる事情に鑑みてなされたもので，その解決課題とする処は，上記中空横桟，中実横桟のいずれのフェンスにも好適に用い得て，連結作業が容易である一方，外観のよい連結を行うことができる角度自在のフェンス連結装置を提供するにある。
【０００５】
【課題を解決するための手段】
上記課題に添い本発明は，フェンス端枠とその連結用にして強度を向上した中空連結部を有する連結支柱とを用い，フェンス端枠をフェンスの横桟に被嵌固定するものとするとともにフェンス端枠と中空連結部とを，Ｃ字状又は円筒状の嵌合条をなす支軸とこれを被嵌保持するＣ字状の被嵌条をなす軸受によって連結するものとする一方，連結を容易になし得るようにフェンス端枠に支軸を，中空連結部にその被嵌受入れ用の軸受を配置して，フェンス端枠，即ちフェンスの落し込み装着を行うとともに該落し込み装着に際して連結支柱の中空連結部の軸受に対するフェンス端枠を定位置高さに位置決め保持し，また連結の安定化のためにフェンス端枠に設けた湾曲突条を中空連結部で上下方向又は水平方向に摺接案内自在とするようにし且つ中空連結部の正面側が，過度不要の角度を規制するストッパーをなすことを可能とするようにしたものであって，即ち請求項１に記載の発明を，上下位横桟端部に被嵌固定し，コ字状基板の前後幅方向中間位置に側面突出状に突設したＣ字状又は円筒状の支軸及び前後幅方向背面側に側面突出状に突設した支軸と同心円上の湾曲突条とを具備した隣接フェンスのアルミ押出材一体成型の各フェンス端枠と，背面基板から前方に突出した突出条に両側方張出しの中空部を形成するように配設した，正面側にＶ字状をなして上記フェンス端枠の前後幅方向前方側面を受止め可能な一対の傾斜受壁，背面側に突出条とともに両側湾曲の矢尻状をなして上記湾曲突条を摺接案内する湾曲突条と同径にして一対の湾曲ガイド壁，上記傾斜受壁と該湾曲ガイド壁間にして傾斜受壁両側端に位置し，上記フェンス端枠の支軸を落し込み状に被嵌保持して該支軸と連結するＣ字状の軸受を有する中空連結部を具備し，上記フェンス端枠より下方に延設したアルミ押出材一体成型の連結支柱とを備え，該連結支柱下方に嵌入配設した嵌入スペーサーに上記フェンス端枠の支軸下面を載置することによって上記落し込み状に被嵌連結する連結支柱軸受によるフェンス端枠支軸の定位置高さの位置決め保持を行なってなることを特徴とする角度自在のフェンス連結装置とし，請求項２に記載の発明を，上記に加えて，特に形状が複雑化し易い連結支柱をアルミ押出材で生産するにつき，アルミ押出材の歩留りを向上してこれを簡易に得られるように，上記アルミ押出材一体成型の連結支柱に代えて，背面基板一体成型のアルミ押出材と，突出条及び中空連結部を一体成型したアルミ押出材とを組合せ固定したアルミ押出材複合の連結支柱としてなることを特徴とする請求項１に記載の角度自在のフェンス連結装置とし，請求項３に記載の発明を，同様に，上記アルミ押出材一体成型の連結支柱に代えて，背面基板と突出条を一体成型したアルミ押出材と，中空連結部を一体成型したアルミ押出材とを組合せ固定したアルミ押出材複合の連結支柱としてなることを特徴とする請求項１に記載の角度自在のフェンス連結装置とし，請求項４に記載の発明を，同じく上記に加えて，従前のアルミ押出材の中空横桟に代えて，フェンスの材質転換を可能とするように，上記隣接フェンスにおける上下の横桟を，金属薄板ロールフォーミングの成型外皮と該成型外皮内に充填した発泡樹脂とにより形成した中実横桟とし，各フェンス端枠の被嵌固定を，コ字状基板を上下位の中実横桟端部に被嵌しコ字状基板と該中実横桟を貫通するボルトナットによって行ってなることを特徴とする請求項１，２又は３に記載の角度自在のフェンス連結装置とし，これらをそれぞれ発明の要旨として上記課題解決の手段としたものである。
【０００６】
【実施例】
以下実施例を示す図面に従って本発明を更に具体的に説明すれば，図１乃至図６において，Ａはフェンス，１はフェンスＡの上位横桟，２はフェンスＡの下位横桟，３は上下位横桟１，２間に配設した縦桟，１０はフェンス端枠，２０は連結支柱をそれぞれ示す。
【０００７】
本例にあって，上下位横桟１，２及び縦桟３は，これをいずれも金属薄板ロールフォーミングの成型外皮４と該成型外皮４内に充填した発泡樹脂とにより形成した中実横桟及び中実縦桟としてあり，これら上下位横桟１，２と縦桟３とを桟組み固定して上記フェンスＡとしてある。
【０００８】
本例の上下位横桟１，２及び縦桟３は，いずれもアルミ薄板をロールフォーミングしたアルミ薄板による成型外皮４に，いずれもウレタン発泡樹脂７を発泡充填することにより成型外皮４内で発泡し，これに緊密に接着一体化した発泡充填のものとしてあり，これにより薄肉の成型外皮４に対する合成樹脂の芯体としてあり，またフェンスＡとしての桟組み固定は，上下位横桟１，２の対向面に起立突設した起立フイン５に図示省略各一対の切欠溝を切欠加工し，該一対の切欠溝に縦桟３両側端の接合突条６を圧入して図示省略のパンチングを施した，起立フイン５に対して縦桟３の跨設状の接合固定を行って上下位横桟１，２間に多数の縦桟３を立設することによって行っている。
【０００９】
このように形成したフェンスＡは，フェンス端枠１０を用いて連結支柱２０に連結することによって，隣接フェンスＡ同士を連結支柱２０を介して角度自在に連結するものとしてある。
【００１０】
フェンス端枠１０は，隣接フェンスＡの上下位横桟１，２の端部に被嵌固定し，コ字状基板１１の前後幅方向中間位置に側面突出状に突設したＣ字状の支軸１５及び前後幅方向背面側に側面突出状に突設した支軸１５と同心円状の湾曲突条１６とを具備したアルミ押出材一体成型のものとしてあり，また連結支柱２０は，背面基板２１から前方に突出した突出条２３に両側方張出しの中空部を形成するように配設した一対の傾斜受壁２５，背面側に一対の湾曲ガイド壁２６，上記傾斜受壁２５と該湾曲ガイド壁２５間にして傾斜受壁２５両側端に位置した軸受２７とを有する中空連結部２４を具備し，上記フェンス端枠１０より下方に延設したアルミ押出材一体成型のものとしてあり，該連結支柱２０の一対の傾斜受壁２５は，フェンス端枠１０の前後幅方向前方側面を受止め可能な正面側にＶ字状をなすものとし，一対の湾曲ガイド壁２６は，上記湾曲突条１６を摺接案内する湾曲突条１５と同径にして突出条２３とともに両側湾曲の矢尻状をなすものとし，また軸受２７は，上記フェンス端枠１０の支軸１５を落し込み状に被嵌保持して該支軸１５と連結するＣ字状のものとしてある。またこのとき該落し込み状に被嵌連結する連結支柱２０軸受２７によるフェンス端枠１０支軸１５の保持は，これを，上記連結支柱２０下方に嵌入配設した嵌入スペーサー２９に上記フェンス端枠１０の支軸１５下面を載置することによって定位置高さに位置決めして行なうものとしてある。
【００１１】
即ち本例にあってフェンス端枠１０は，一対の対向突条１２を突設してコ字状とした基板１１の前後幅方向の中央位置に連結頸部１４を介してＣ字状の嵌合条をなす支軸１５を突出するとともにその後方の背面側端部近傍に支軸１５と同心円をなす円弧の１／４円弧弱長さの湾曲突条１６を突設したものとし，連結支柱２０は，幅広平板状にして両端に上記湾曲突条１５と衝接しないように，一対の補強リブ２２を正面側に低突出した同じくコ字状とした背面基板２１の中央位置から突出条２３を突出して，その先端において両側方張出しにして突出条２３の延長線上に補強条２８を配して２区分した中空部を形成して中空連結部２４を，上記背面基板２１に一体に配設したものとしてあり，その外周面をなすように正面側に１２０°の角度をなすＶ字状一対の傾斜受壁２５，背面側に両側に向けて，湾曲突条１６と同径，即ち支軸１５と同心円をなす円弧の１／４円弧長さの一対の湾曲ガイド壁２６を配設し，該湾曲ガイド壁２６の側端部から正面側に突出する軸受連結条２８を介して軸受２７を一側で支承するようにして，傾斜受壁２５両側端の被嵌条をなす軸受２７を配設したものとしてあり，このとき軸受２７は，支軸１５の外径に合わせてこれを被嵌保持し，支軸１５の連結頸部１４の角度範囲を定めるように１／４円弧長さを外側側方に向けて開口することによって３／４円弧のＣ字溝によるものとし，上記支軸１５とともにリンク状連結部を形成するものとしてある。
【００１２】
本例の隣接フェンスＡの連結は，各フェンス端枠１０の被嵌固定を，コ字状基板１１を上下位中実の横桟１，２端部に被嵌し，コ字状基板１１と該中実の横桟１，２を貫通するボルトナット１７によって行ってある。
【００１３】
即ちフェンス端枠１０の被嵌固定は，上下位横桟１，２の端部に水平に透設したボルト挿通孔８とコ字状基板１１の対向突条１２の長手方向上下位にそれぞれ水平となるように透設した透孔１３とを合わせて，フェンス端枠１０を各上下位横桟１，２受入れ状に被嵌した上，一側の透孔１３からボルト挿通孔８を貫通して他側の透孔１３間に貫通締着したボルトナット１７によって行ってあり，これによって発泡樹脂７充填の上下位横桟１，２の端部は，発泡樹脂７充填のままとして，その強度を確保するものとしてある。
【００１４】
また上記軸受２７による支軸１５の上記定位置高さの位置決め保持は，軸受２７の下方に，先端を支軸１５支持位置に合わせた定位置とする円形にして支軸１５と同径にして定尺の嵌入スペーサ２９を嵌入配設し，この嵌入スペーサ２９を支軸１５の台座とするように該支軸１５下面を載置支持して行うものとしてあり，このとき嵌入スペーサ２９は長尺又は短尺のものとして，いずれもフェンスＡ荷重を支持し得るように軸受２７のパンチング，軸受２７からのネジ止め等適宜の抜止め乃至固定手段を施すものとしてあり，これにより嵌入スペーサ２９は，支軸１５の被嵌保持の定位置高さの位置決めを行って，フェンス端枠１０の定位置高さの設置を容易ならしめ，また長期に亘る安定したフェンスＡに対する耐荷重性に富んだ支持を行うものとしてある。
【００１５】
本例におけるフェンスＡの角度自在の連結手順は，下方を地中埋込することによって地上に垂直に立設した連結支柱２０に対して，隣接各フェンスＡを上方から下方に落し込む如くに，中空連結部２４の軸受２７を基準にして該軸受２７内にフェンス端枠１０の支軸１５を落し込み状に挿入して，軸受２７による被嵌保持を行わせるようにすればよく，このときフェンスＡは，同様に又は他の手段により落し込み連結可能な他端側の支柱との間で所定角度に落し込み状にする場合と，他端側の支柱とは独立して，連結支柱２０に対して落し込み状にして，所定角度の角度出しを行って他端側の支柱と別途連結する場合とが可能であり，前者の場合，上記支軸１５と軸受２７によるリンク状連結部は，上下方向の嵌合手段として作用し，また湾曲突条１６と湾曲ガイド壁２６との関係は上記上下方向の嵌合に際して上下方向の摺接案内を行うように作用し，また後者の場合，リンク状連結部は回動自在なリンクとして上記嵌合手段とともに水平方向の回動手段として作用し，湾曲突条１６と湾曲ガイド壁２６との関係は，上記上下方向の摺接案内とともに回動に際して水平方向の摺接案内を行うように作用し且つ一対の傾斜受壁２５はフェンスＡの正面側の回動規制のストッパーを行うように作用し，いずれによるも隣接フェンスＡは落し込み状の簡易な連結作業で，リンク状連結部により上下方向一連の外観のよい安定した角度自在の連結を行うことができる。
【００１６】
図７及び図８は他の例を示したもので，図７は，上記アルミ押出材一体成型の連結支柱２０に代えて，背面基板２１のアルミ押出材と，突出条２３及び中空連結部２４を一体成型したアルミ押出材とを組合せて，ネジ３１で固定したアルミ押出材複合の連結支柱２０とした例，図８は，同じく上記アルミ押出材一体成型の連結支柱２０に代えて，背面基板２１と突出条２３を一体成型したアルミ押出材と，中空連結部２４を一体成型したアルミ押出材とを組合せて，突出条２３先端の矢尻部３２を中空連結部２４の受溝３３内に嵌入して固定したアルミ押出材複合の連結支柱２０とし且つ背面基板２１の補強リブ２２先端にそれぞれ湾曲ガイド壁２６と，ガイド溝を形成するように更に外れ止めをなす支持壁３４を形成し，また補強条２８の設置を省略した例であり，その余は上記例と変らないので同一符号を付してその重複する説明を省略する。
【００１７】
なお図中３０は，連結支柱２０の上端を，リンク状連結部を含めて被覆するように連結支柱２０に嵌着した支柱キャップである。
【００１８】
図示した例は以上のとおりとしたが，フェンスの上下位横桟をアルミ押出材の中空横桟とすること，フェンス端枠の支軸を円筒状のものとすること等を含めて，本発明の実施に当って上下位横桟，フェンス端枠，連結支柱の各具体的材質，形状，構造，これらの関係，これらに対する付加等は，上記発明の要旨に反しない限り様々な態様のものに変更することができる。
【００１９】
【発明の効果】
本発明は以上のとおりに構成したから，請求項１に記載の発明は，フェンス端枠とその連結用にして強度を向上した中空連結部を有する連結支柱とを用い，フェンス端枠をフェンスの横桟に被嵌固定するものとするとともにフェンス端枠と中空連結部とを，Ｃ字状又は円筒状の嵌合条をなす支軸とこれを被嵌するＣ字状の被嵌条をなす軸受によって連結するものとする一方，連結を容易になし得るようにフェンス端枠に支軸を，中空連結部にその被嵌受入れ用の軸受を配置して，フェンス端枠，即ちフェンスの落し込み装着を行うとともに該落し込み装着に際して連結支柱の中空連結部の軸受に対するフェンス端枠を定位置高さに位置決め保持し，また連結の安定化のためにフェンス端枠に設けた湾曲突条を中空連結部で上下方向又は水平方向に摺接案内自在とするようにし且つ中空連結部の正面側が，過度不要の角度を規制するストッパーをなすことを可能とするようにして，中空横桟，中実横桟のいずれのフェンスにも好適に用い得て，連結角度を幅広く得られ，連結作業が容易にして外観のよい角度自在のフェンス連結装置を提供することができる。
【００２０】
請求項２及び３に記載の発明は，上記に加えて，それぞれ形状が複雑化し易い連結支柱をアルミ押出材で生産するにつき，その歩留りを向上してこれを簡易に得ることができる。
【００２１】
請求項４に記載の発明は，同じく上記に加えて，アルミ押出材の中空横桟に代えて，フェンスの材質転換を可能としたものとすることができる。
【図面の簡単な説明】
【図１】  フェンス，フェンス端枠，連結支柱の関係を示す分解斜視図
【図２】  フェンスの連結状態を示す支柱キャップを外した平面図
【図３】  フェンス端枠の平面図
【図４】  連結支柱の平面図
【図５】  フェンスとフェンス端枠の関係を示す分解斜視図
【図６】  横桟と縦桟との関係を示す縦桟下端の横断面図
【図７】  他の例に係るフェンスの連結状態を示す支柱キャップを外した平面図
【図８】  他の例に係るフェンスの連結状態を示す支柱キャップを外した平面図
【符号の説明】
Ａ  フェンス
１  上位横桟
２  下位横桟
４  成型外皮
７  発泡樹脂
１０  フェンス端枠
１１  基板
１５  支軸
１６  湾曲突条
２０  連結支柱
２１  背面基板
２３  突出条
２４  中空連結部
２５  傾斜受壁
２６  湾曲ガイド壁
２７  軸受
２９  嵌入スペーサ
【図１】
0003712759.tif 000002
【図２】
0003712759.tif 000003
【図３】
0003712759.tif 000004
【図４】
0003712759.tif 000005
【図５】
0003712759.tif 000006
【図６】
0003712759.tif 000007
【図７】
0003712759.tif 000008
【図８】
0003712759.tif 000009